(57)【要約】洗浄機においてオートパワーオフ制御を単純な構成で行うため、モータへの給電は、制御回路によって自動的に行われる。この制御は、水圧を検知する圧力スイッチを用いて行われる。制御回路は、この水圧が第１の設定圧力値以下になるとモータをオンさせ、水圧が第２の設定圧力値以上となった場合にモータをオフさせる制御を行う。また、制御回路は、圧力スイッチにおいて、水圧が第１の設定圧力値以下となった際に、水圧が第１の設定圧力値以下となった後に第２の設定圧力値を超えるまでの時間（Ｔｊ１）を認識する。この時間が第１の時間を超えた場合において、この洗浄機を用いた作業が行われたと判定する。その後、モータがオフとされてから再びモータが第１の時間を超えてオンされた場合がなく、第２の時間（Ｔ２）を経過した場合に、電池から制御回路への電流の供給が自動的にオフされる。
2015166905.tif 000002
【特許請求の範囲】
【請求項１】
モータで駆動されるポンプで加圧された液体をノズルから噴射させる電動洗浄機であって、前記ポンプと前記ノズルとの間における前記液体の圧力を調整するために前記モータのオン及びオフを自動的に切り替える制御部を有し、前記ノズルから前記液体が噴射されていない状態において前記モータのオン及びオフが複数回繰り返された場合に前記モータへの給電を停止するように構成されたことを特徴とする電動洗浄機。
【請求項２】
前記制御部は、前記ノズルから前記液体が噴射されていない状態において前記モータのオン及びオフが複数回繰り返された場合に、前記モータをオフし、以降は前記モータをオンしない制御を行うことを特徴とする請求項１に記載の電動洗浄機。
【請求項３】
前記ノズルから前記液体が噴射されていない状態において前記モータのオン及びオフが複数回繰り返された場合に前記制御部への給電を停止するように構成されたことを特徴とする請求項１又は２に記載の電動洗浄機。
【請求項４】
モータで駆動されるポンプで加圧された液体をノズルから噴射させる電動洗浄機であって、前記ポンプと前記ノズルとの間における前記液体の圧力を調整するために前記モータのオン及びオフを自動的に切り替える制御部を有し、前記圧力が連続して設定圧力値以下となった後に前記圧力が前記設定圧力値を超えるまでの時間が予め定められた第１の時間以内の状態が前記第１の時間よりも長い第２の時間内で複数回繰り返された場合に、前記モータへの給電を停止するように構成されたことを特徴とする電動洗浄機。
【請求項５】
前記制御部は、前記第１の時間以内の状態が前記第２の時間内で複数回繰り返された場合に、前記モータをオフし、以降は前記モータをオンしない制御を行うことを特徴とする請求項４に記載の電動洗浄機。
【請求項６】
前記設定圧力値は、第１の設定圧力値と、前記第１の設定圧力値よりも大きい第２の設定圧力値とを有し、前記制御部は、前記圧力が前記第１の設定圧力値以下となった場合に前記モータをオンさせ、前記圧力が前記第２の設定圧力値以上となった場合に前記モータをオフさせる制御を行うことを特徴とする請求項４又は５に記載の電動洗浄機。
【請求項７】
前記圧力が前記第１の設定圧力値以下となった後に前記第２の設定圧力値以上となるまでの時間が前記第１の時間を超えた場合には前記モータへの給電を継続することを特徴とする請求項６に記載の電動洗浄機。
【請求項８】
モータで駆動されるポンプで加圧された液体をノズルから噴射させる電動洗浄機であって、前記ポンプと前記ノズルとの間における前記液体の圧力を調整するために前記モータのオン・オフを制御する調圧制御部と、前記圧力が連続して設定圧力値以下となった後に前記圧力が前記設定圧力値を超えるまでの時間が予め定められた第１の時間を超えた場合に、前記圧力が連続して前記設定圧力値以下となった期間を使用期間と認識し、予め定められ前記第１の時間よりも長い第２の時間内において前記使用期間が認識されなかった場合に、前記ポンプをオフさせた状態で前記調圧制御部への給電を停止する制御を行うオートパワーオフ制御部と、を具備することを特徴とする電動洗浄機。
【請求項９】
前記調圧制御部は、前記圧力が一定の範囲の下限値以下となった場合に前記ポンプをオンさせ、かつ前記圧力が前記範囲の上限値以上となった場合に前記ポンプをオフさせる制御を行い、前記設定圧力値は、前記下限値とされたことを特徴とする請求項８に記載の電動洗浄機。
【請求項１０】
前記圧力が前記設定圧力値以下となった際に電気的スイッチとして機能する圧力スイッチを、前記ノズルとホースを介して接続され、かつ前記ポンプと一体化された洗浄機本体に具備することを特徴とする請求項４から請求項９までのいずれか１項に記載の電動洗浄機。
【請求項１１】
前記ポンプ及び前記制御部の電源として蓄電池が用いられたことを特徴とする請求項１から請求項７までのいずれか１項に記載の電動洗浄機。
【請求項１２】
前記ポンプ及び前記調圧制御部の電源として蓄電池が用いられたことを特徴とする請求項８又は９に記載の電動洗浄機。
【請求項１３】
前記ノズルには、前記液体の噴射を機械的に制御するトリガが装着されたことを特徴とする請求項１から請求項１２までのいずれか１項に記載の電動洗浄機。
【請求項１４】
前記液体は水であることを特徴とする請求項１から請求項１３までのいずれか１項に記載の電動洗浄機。
【発明の詳細な説明】
【技術分野】
【０００１】本発明は、電動のポンプで加圧された液体を噴射する電動洗浄機に関する。
【背景技術】
【０００２】加圧された水をノズルの先端から噴射させて洗浄を行う洗浄機においては、モータやエンジンがポンプを駆動する動力源として使用される。このうち、モータを動力源とするものは、静粛性等の観点から好ましい。この場合、電源としては、商用交流電源と、バッテリ（蓄電池）の２種類を用いることができる。商用交流電源を用いた場合には、電源の供給が可能な場所においてのみ使用が可能となり、屋外等での使用が困難であるため、バッテリを電源とする洗浄機が特に好ましい。洗浄機においては、水を噴射するノズルにトリガが設けられ、作業者は、このノズルを把持し、洗浄する対象にノズルの先端を向けた状態でトリガを操作することによって、ポンプによって加圧された水をトリガの先端から噴射させ、洗浄作業を行うことができる。  【０００３】一方、連続して電力の供給が可能である商用交流電源とは異なり、バッテリを用いた場合には、連続して使用できる時間が制限され、この時間を超えた場合には、バッテリを再充電する、あるいは充電済みのものに交換する、等の作業が必要になる。このため、バッテリを用いた場合には、洗浄機における消費電力の低減が特に重要となる。こうした状況は、洗浄機に限らず、バッテリを電源とする電動工具等についても同様である。  【０００４】通常の電動工具等は、使用時にモータに通電がなされモータが回転することによって動作するが、その制御に用いられる制御回路（マイコン）等にも給電される。ここで、電動工具には主電源スイッチ、モータの起動スイッチの２種類のスイッチが設けられるものがある。主電源スイッチがオンとされた場合には、制御回路には給電されるがモータには通電されないスタンバイ状態とされ、この状態で更に起動スイッチがオンとされることにより、モータが回転し、この電動工具が動作する。こうした２種類のスイッチを設けることによって、モータのオン・オフを頻繁に制御する場合でも、適切な動作が可能となる。  【０００５】スタンバイ状態においては、モータは駆動されないために消費電力は動作時と比べて大幅に低いものの、制御回路に給電されることよって消費電力が発生する。このため、起動スイッチが長時間操作されない場合には、この電動工具を用いた作業は行われていないとみなし、主電源スイッチを実質的にオフし、制御回路への給電を自動的にオフ（オートパワーオフ）する設定とすれば、消費電力を大きく低減することができる。これによって、バッテリによる動作を長期間行わせることができる。作業者が再びこの電動工具を使用する場合には、主電源スイッチを再度オンすればよい。こうした制御は、オートパワーオフ制御として知られており、このための構成は、例えば特許文献１に記載されている。  【０００６】上記のとおり、オートパワーオフ制御においては、この電動工具を用いた作業は行われていないとみなされる期間を認識することが重要であり、この期間が長い場合にオートパワーオフが行われる。この期間は、主電源スイッチがオンとされた状態においてモータの起動スイッチが連続してオフとされた期間、あるいは連続してモータがオフとされた期間として認識される。これにより、この期間が所定時間を超えた場合には、この電動工具が使用されてい���いと判定され、オートパワーオフが行われる。
【先行技術文献】
【特許文献】
【０００７】
【特許文献１】特開２００６−１９８６９０号公報
【発明の概要】
【発明が解決しようとする課題】
【０００８】上記のオートパワーオフの制御を同様に電動洗浄機に適用した場合には、以下の問題があった。  【０００９】電動洗浄機が使用されている状態とは、ノズルから水が噴射されている状態を意味する。電動洗浄機において、加圧された水をノズルから瞬時に噴射させるためには、ポンプ内の水の圧力を常時高めておくことが必要であり、ポンプ内（ポンプからノズルまでの間）における水圧は、常に所定の範囲の圧力に自動的に保たれている。このため、電動洗浄機においては、水の噴射という動作とモータのオン・オフの動作は必ずしも直結せず、水圧が低下した場合にポンプがオンするという動作が自動的に行われている。水を噴射させた場合には水圧が低下するためにポンプは自動的にオンとされる。ただし、水を噴射させない場合（スタンバイ状態）でも、ある程度の時間が経過した場合にはポンプ内の水圧は自然に低下するため、この場合にもポンプはオンとなるように自動的に制御される。このように、水を噴射しない状態においても、通常はモータのオン・オフは自動的に繰り返されており、モータのオン・オフを制御するための起動スイッチは洗浄機には設けられていない。  【００１０】このため、洗浄機においては、モータのオン・オフの情報のみから、この洗浄機が使用されているか否かを判定することは困難であり、この情報を基にしてオートパワーオフ制御を行うことは困難であった。  【００１１】水の噴射のオン・オフはノズルに装着されたトリガによって操作されるため、オートパワーオフ制御を行うために、モータのオン・オフの代わりにトリガが操作されたか否かを基準とすることも不可能ではない。この場合、例えばトリガが操作されない期間を、この洗浄機が使用されていない期間と認識し、この期間が長くなった場合にオートパワーオフを行うことができる。しかしながら、トリガは、一般には、水の噴射を制御する弁を機械的に操作する機能のみをもち、電気的なスイッチとなってはいない。トリガを電気的なスイッチとする、あるいはトリガに何らかの電気的なスイッチを接続し、このオン・オフを検出することも不可能ではないが、トリガが装着されるノズルは特に水で濡れやすい箇所であり、この観点から、こうした電気的なスイッチをノズルに設けることは好ましくない。また、ポンプや制御回路等が内蔵された本体と、トリガが設けられたノズルとの間に電気的な配線を設けることも好ましくなく、通常は本体とノズルとの間には、水を流通させるホースのみが設けられている。  【００１２】このため、長時間使用されていないことを洗浄機において電気的に判定することは困難であり、洗浄機においてオートパワーオフ制御を単純な構成で行うことは困難であった。  【００１３】本発明は、かかる問題点に鑑みてなされたものであり、上記の問題点を解決する発明を提供することを目的とする。
【課題を解決するための手段】
【００１４】本発明の電動洗浄機は、モータで駆動されるポンプで加圧された液体をノズルから噴射させる電動洗浄機であって、前記ポンプと前記ノズルとの間における前記液体の圧力を調整するために前記モータのオン及びオフを自動的に切り替える制御部を有し、前記ノズルから前記液体が噴射されていない状態において前記モータのオン及びオフが複数回繰り返された場合に前記モータへの給電を停止するように構成されたことを特徴とする。  【００１５】本発明の電動洗浄機において、前記制御部は、前記ノズルから前記液体が噴射されていない状態において前記モータのオン及びオフが複数回繰り返された場合に、前記モータをオフし、以降は前記モータをオンしない制御を行うことを特徴とする。  【００１６】本発明の電動洗浄機は、前記ノズルから前記液体が噴射されていない状態において前記モータのオン及びオフが複数回繰り返された場合に前記制御部への給電を停止するように構成されたことを特徴とする。  【００１７】本発明の電動洗浄機は、モータで駆動されるポンプで加圧された液体をノズルから噴射させる電動洗浄機であって、前記ポンプと前記ノズルとの間における前記液体の圧力を調整するために前記モータのオン及びオフを自動的に切り替える制御部を有し、前記圧力が連続して設定圧力値以下となった後に前記圧力が前記設定圧力値を超えるまでの時間が予め定められた第１の時間以内の状態が前記第１の時間よりも長い第２の時間内で複数回繰り返された場合に、前記モータへの給電を停止するように構成されたことを特徴とする。  【００１８】本発明の電動洗浄機において、前記制御部は、前記第１の時間以内の状態が前記第２の時間内で複数回繰り返された場合に、前記モータをオフし、以降は前記モータをオンしない制御を行うことを特徴とする。  【００１９】本発明の電動洗浄機において、前記設定圧力値は、第１の設定圧力値と、前記第１の設定圧力値よりも大きい第２の設定圧力値とを有し、前記制御部は、前記圧力が前記第１の設定圧力値以下となった場合に前記モータをオンさせ、前記圧力が前記第２の設定圧力値以上となった場合に前記モータをオフさせる制御を行うことを特徴とする。  【００２０】本発明の電動洗浄機は、前記圧力が前記第１の設定圧力値以下となった後に前記第２の設定圧力値以上となるまでの時間が前記第１の時間を超えた場合には前記モータへの給電を継続することを特徴とする。  【００２１】本発明の電動洗浄機は、モータで駆動されるポンプで加圧された液体をノズルから噴射させる電動洗浄機であって、前記ポンプと前記ノズルとの間における前記液体の圧力を調整するために前記モータのオン・オフを制御する調圧制御部と、前記圧力が連続して設定圧力値以下となった後に前記圧力が前記設定圧力値を超えるまでの時間が予め定められた第１の時間を超えた場合に、前記圧力が連続して前記設定圧力値以下となった期間を使用期間と認識し、予め定められ前記第１の時間よりも長い第２の時間内において前記使用期間が認識されなかった場合に、前記ポンプをオフさせた状態で前記調圧制御部への給電を停止する制御を行うオートパワーオフ制御部と、を具備することを特徴とする。  【００２２】本発明の電動洗浄機にお��て、前記調圧制御部は、前記圧力が一定の範囲の下限値以下となった場合に前記ポンプをオンさせ、かつ前記圧力が前記範囲の上限値以上となった場合に前記ポンプをオフさせる制御を行い、前記設定圧力値は、前記下限値とされたことを特徴とする。  【００２３】本発明の電動洗浄機は、前記圧力が前記設定圧力値以下となった際に電気的スイッチとして機能する圧力スイッチを、前記ノズルとホースを介して接続され、かつ前記ポンプと一体化された洗浄機本体に具備することを特徴とする。  【００２４】本発明の電動洗浄機は、前記ポンプ及び前記制御部の電源として蓄電池が用いられたことを特徴とする。  【００２５】本発明の電動洗浄機は、前記ポンプ及び前記調圧制御部の電源として蓄電池が用いられたことを特徴とする。  【００２６】本発明の電動洗浄機において、前記ノズルには、前記液体の噴射を機械的に制御するトリガが装着されたことを特徴とする。  【００２７】本発明の電動洗浄機において、前記液体は水であることを特徴とする。
【発明の効果】
【００２８】本発明は以上のように構成されているので、洗浄機においてオートパワーオフ制御を単純な構成で行うことができる。
【図面の簡単な説明】
【００２９】
【図１】本発明の実施の形態に係る電動洗浄機の構成を示す図である。
【図２】本発明の実施の形態に係る電動洗浄機において、調圧制御、オートパワーオフ制御に関わる制御回路の接続を示す図である。
【図３】本発明の実施の形態に係る電動洗浄機において、調圧制御とオートパワーオフ制御とが行われる際の水圧の時間経過を示す一例である。
【図４】本発明の実施の形態に係る電動洗浄機におけるオートパワーオフ制御の動作を示すフローチャートである。
【発明を実施するための形態】
【００３０】本発明の実施の形態となる電動洗浄機について説明する。図１は、この電動洗浄機（洗浄機）１全体の構成を模式的に示す図である。この洗浄機１においては、洗浄機本体１０に設けられたタンク１１に溜められた水が、ポンプ１２によって汲み出され加圧され、可撓性のホース１３の内部を通りノズル１４に導かれる。ノズル１４には、水の流れの開閉を行う弁１４１が設けられ、この開閉の制御はトリガ１４２で機械的に制御される。このため、作業者は、ノズル１４内に加圧された水が存在する状態でトリガ１４２を引く（オンする）ことによって、ノズル１４の先端から加圧された水を噴射させることができる。ノズル１４は、作業者に把持され、携帯することが容易となる形状とされるため、作業者は、洗浄する対象にノズル１４の先端を向け、トリガ１４２をオンすることによって、洗浄作業を行うことができる。  
【００３１】洗浄機本体１０には、上記のタンク１１、ポンプ１２の他に、ポンプ１２を動作させるための機構が内蔵されている。まず、ポンプ１２は、モータ（ブラシレスモータ）１５で駆動される。このため、実質的にポンプ１２のオン・オフはモータ１５のオン・オフと等価であり、モータ１５がオンされた場合にポンプ１２とノズル１４の間の水は加圧される。このモータ１５は、制御回路１６を用いて駆動され、電源としては、電池１７が用いられる。電池１７としては、充電が可能な蓄電池（バッテリ）が特に好ましく用いられる。この電池１７は、モータ１５を直接駆動する電源、及び制御回路１６を駆動する電源となる。電池１７の電圧は電源回路２０を介して制御回路１６等の電源電圧に変換されて制御回路１６（マイコン１６１）に供給される。電池１７（電源回路２０）による制御回路１６への給電は、主電源スイッチ１８で制御される。主電源スイッチ１８がオンされると、そのオン信号が電源回路２０に入力されることで電源回路２０が起動し、制御回路１６の電源電圧を生成する。洗浄機本体１０とノズル１４との間は、ホース１３のみによって接続され、これらの間に電気的な配線は設けられていない。  
【００３２】モータ１５への給電は、主電源スイッチ１８では直接制御されず、制御回路１６によって自動的に行われる。この制御は、ポンプ１２に装着されポンプ１２とノズル１４の間における水圧を検知する圧力スイッチ１９を用いて行われる。圧力スイッチ１９においては、Ｐ１（第１の設定圧力値）、Ｐ２（第２の設定圧力値、Ｐ１＜Ｐ２）の２種類の圧力が設定され、検出された水圧がＰ１以下に減少した場合、Ｐ２以上に増加した場合に、それぞれ出力信号を発する。制御回路１６は、この水圧がＰ１以下になるとモータ１５をオンさせ、水圧がＰ２以上となった場合にモータ１５をオフさせる制御を行う。Ｐ１は例えば２ＭＰａ程度とすることができ、Ｐ２はこれよりも大きな範囲で適宜設定され、例えば２．５ＭＰａ程度とされる。  
【００３３】このようにノズル１４（ホース１３）における水圧がＰ１以上となるべく制御されるために、作業者がトリガ１４２を操作した場合には、モータ１５のオン・オフに関わらず瞬時にノズル１４の先端から加圧された水が噴射する。上記のようにノズル１４（ポンプ１２）内の水圧を高くする制御を行わず、単なるモータ１５のオン・オフによって水の噴射のオン・オフを行う場合には、水圧が上昇するまでの間の水勢が弱くなるために、洗浄作業を効率的に行うことができない。上記の構成においては、ノズル１４における水圧を高く保つための動作が圧力スイッチ１９、制御回路１６によって自動的に行われるために、洗浄作業を効率的に行うことができる。このため、水の噴射のオン・オフは作業者がトリガ１４２を操作することによって行われ、モータ１５のオン・オフは制御回路１６によって自動的に行われる。このように、制御回路１６は、調圧制御を行う調圧制御部として機能する。  
【００３４】また、図２は、上記の構成における、制御回路１６と、電池１７、主電源スイッチ１８（タクトスイッチ）、電源回路２０、圧力スイッチ１９、モータ１５との間の関係を示す図である。ここで、上記の制御回路１６はマイコン１６１とインバータ回路１６２で構成される。３相駆動のブラシレスモータであるモータ１５の電源は、電池１７からインバータ回路１６２を介して供給され、そのオン・オフはマイコン１６１によって制御される。この制御に際しては、マイコン１６１は、上記のように、圧力スイッチ１９によって、現在の水圧とＰ１、Ｐ２の上下関係を参照する。  
【００３５】また、上記の制御回路１６（マイコン１６１）は、圧力スイッチ１９において、水圧がＰ１以下となった際に、水圧がＰ１以下となってから再びＰ１より大きいＰ２を超えるまでの時間を認識する。この時間が予め設定された第１の時間（Ｔ１）を超えた場合において、この洗浄機１を用いた作業が行われたと判定する。その後、モータ１５がオフとされてから再びモータ１５がＴ１を超えてオンされた場合がなく、予め設定された第２の時間Ｔ２を経過した場合に、電池１７から制御回路１６への電流の供給が自動的にオフ（オートパワーオフ）される。モータ１５のオン・オフは、前記の通り圧力スイッチ１９を用いて制御されるが、この制御も圧力スイッチ１９を用いて行われる。すなわち、制御回路１６は、オートパワーオフ制御を行うオートパワーオフ制御部としても機能する。  
【００３６】図３は、この制御回路１６による調圧制御とオートパワーオフ制御が行われた際に圧力スイッチ１９で検出される水圧の時間変化とモータ１５のオン・オフの状況を模式的に示す。ここで、Ｐ１は２．０ＭＰａ、Ｐ２は２．５ＭＰａとされている。前記の通り、水圧がＰ１以下となった場合にはモータ１５がオンされるために水圧は上昇するが、ノズル１４から水が噴射されている場合には水圧は大きく低下するために、モータ１５がオンとされた場合でも、水圧はＰ１を超えるまで上昇するとは限らない。一方、ノズル１４から水が噴射されていない場合には、モータ１５がオンされた場合には速やかに水圧は上昇するため、水圧はＰ１〜Ｐ２の範囲に維持され、Ｐ１がこの範囲の下限値、Ｐ２がこの範囲の上限値となる。この状態で作業者がトリガ１４２を操作した場合には、ノズル１４から下限値である２．０ＭＰａ以上の高圧の水が噴射される。  
【００３７】図３において、ノズル１４から水が噴射される時間（トリガ１４２が操作された期間）は、図示されたＴｊの期間のみであり、Ｔｊの期間の前後においては、この洗浄機１は使用されない（ノズル１４から水が噴射されない）ものとする。まず、この使用されない状態におけるモータ１５のオン・オフの動作について説明する。  
【００３８】この状態においては、ポンプ１２からノズル１４の間にある水は噴出されないが、水の微少な漏れ等の要因によって、モータ１５がオフの状態では、徐々に減少する。図３におけるＴ００の期間は、モータ１５がオフとされ水圧がＰ２からＰ１まで減少する期間である。水圧がＰ１まで減少したら、モータ１５がオンとされ、再び水圧は上昇する。ただし、水が噴射されていない場合には、この際の水圧の上昇速度は速く、短時間で再び水圧はＰ２にまで上昇し、モータ１５はオフとなる。この際のモータ１５がオンとされた期間（水圧がＰ１からＰ２まで上昇する時間）がＴ０１であり、Ｔ００に対して極短時間（Ｔ０１＜＜Ｔ００）となる。この場合において、水圧がＰ１以下となっている時間は、モータ１５がオンとされた期間であるＴ０１と比べても無視できる程度に短い。このため、Ｔ００、Ｔ０１の期間の大部分において水圧はＰ１〜Ｐ２の範囲に維持される。  
【００３９】その後、前記と同様に水圧はＰ２から再び徐々に減少してＰ１に達し、同様の動作が繰り返し行われる。Ｔ００やＴ０１はＰ１、Ｐ２の設定値や状況に応じて変化することもあるため必ずしも一定ではないが、例えばＴ００は３分程度、Ｔ０１は１秒以下である。  
【００４０】一方、ノズル１４から水が噴射された場合には、ポンプ１２内の水圧は大きく減少しＰ１を下回るため、やはりモータ１５はオンとなる。ただし、上記の水が噴射されていない場合と異なり、水が噴射され続けている間は、水圧は直ちに上昇しない、あるいは上昇する場合でも上記の場合と比べてその上昇の速度は遅い。このため、図３におけるＴｊの期間においては、水圧はＰ１以下となる。すなわち、水が噴射されていない場合には、モータ１５がオンとされた際に水圧が速やかにＰ１から上昇したのに対し、水が噴射された場合には、モータ１５がオンされた場合でも水圧は少なくとも瞬時にはＰ１から上昇しない。図示されるように、この場合にモータ１５がオンされる時間をＴｊ１とすると、Ｔｊ１＞＞Ｔ０１となる。Ｔｊの期間が終了したら（作業者がトリガ１４２から手を離したら）、水圧は速やかに上昇し、Ｐ２に達する。  
【００４１】このため、上記の調圧制御が自動的かつ定常的に行われている場合でも、水圧がＰ１以下となる時間を元にして、ノズル１４から水が噴射された状態があったかどうかを判定することができる。この判定のために、第１の時間Ｔ１を設定し、水圧が設定圧力値（Ｐ１）以下となった時間がＴ１以上であればノズル１４から水が噴射されたと判定し、この時間がＴ１未満であれば、ノズル１４から水が噴射されていないと判定することができる。前記の通り、Ｔ０１が１秒程度であり、Ｔ０１の期間内において水圧がＰ１以下となる時間はこれよりも更に短い。また、洗浄作業を行う場合には、作業者は一般に数秒以上連続して水を噴射させる。このため、Ｔ１を例えば１秒程度と設定することができる。水圧が連続してＰ１以下となった時間ＴｊがＴ１を超えた場合には、ノズル１４から水が噴射された（この洗浄機１が使用された）と判定し、期間Ｔｊの間はこの洗浄機１が作業者によって使用された使用期間であると認識することができる。
【００４２】図３の例においては、この使用期間が終了してから、水圧がＰ１以下となる場合はＴ０１の期間内においては短時間内に存在するものの、Ｔ１を超えて連続して水圧がＰ１以下となる期間（使用期間と認識される期間）は存在しない。このように使用期間と認識されたＴｊの期間が終了してから再び使用期間が認識されなければ、この洗浄機１はＴｊの期間において使用されたが、その後では使用されなかったと判定することができる。  
【００４３】このため、第２の時間Ｔ２（Ｔ２＞＞Ｔ００、Ｔ１）を設定し、Ｔ２の期間内に使用期間が認識されなければ、長時間この洗浄機１が使用されなかったと推定することができ、制御回路１６（マイコン１６１）は、モータ１５がオフの状態で制御回路１６に対する電流の供給をオフ（オートパワーオフ）することができる。作業者が再びこの洗浄機１を使用する場合には、主電源スイッチ１８を再びオンすればよい。Ｔ２としては、Ｔ００が３分程度である場合には、Ｔ２は１０分程度とすることができる。この場合には、この洗浄機１は、１０分間使用されなければ自動的にオフされる。  
【００４４】このため、例えば作業者がこの洗浄機１を主電源スイッチ１８をオンして放置した場合における電力消費を低減することができる。これによって、電池１７による連続使用可能時間を長くすることができる。また、上記の構成においては、調圧制御に用いられる圧力スイッチ１９と制御回路１６を、オートパワーオフ制御にも用いることができる。このため、単純な構成で調圧制御と共にオートパワーオフ制御も行うことができる。調圧制御部とオートパワーオフ制御部とを分離して設けた場合には、オートパワーオフに際しては、調圧制御部のみへの電力供給をオフすることができる。ただし、オートパワーオフ制御部への電力供給のオフも同時に行ってもよい。  
【００４５】また、図３の特性より、制御回路１６（マイコン１６１）は、オートパワーオフをするために、他の基準を用いることもできる。例えば、ノズル１４から水が噴射されていることを上記の圧力スイッチ１９以外の何らかの手段で検知できる場合には、ノズル１４から水が噴射されていない状態でモータのオン・オフが複数回繰り返された場合には、オートパワーオフする（モータ１５への給電を停止する）ことができる。この場合、制御部１６は、調圧制御のためにモータ１５が再びオンされることがないように制御することができる。また、上記と同様に、制御部１６に対する電力の供給もオフすることができる。
【００４６】また、上記と同様にＴ１、Ｔ２が設定された場合にも、これを用いて上記とは異なる基準でオートパワーオフ制御を行うことができる。例えば、水圧がＰ１以下となった時間（モータ１５がオンされた時間）がＴ１以下であった状態が、モータ１５がオフされた時間を挟んでＴ２の時間内において複数回繰り返された場合に、オートパワーオフすることができる。この制御を行う場合には、Ｔ２を長めに設定した場合であっても、実際にはこれよりも短い時間でオートパワーオフが行われるために、節電の効果はより高くなる。この場合には、水圧がＰ１以下となってからその後にＰ２以上となるまでの時間がＴ１を超えた場合には、逆に、オートパワーオフとはしない（モータ１５への給電を継続する、あるいは制御部１６に対する電力の供給を継続する）設定とすることが好ましい。  
【００４７】図４は、この洗浄機１におけるオートパワーオフ制御の動作の一例を示すフローチャートである。まず、主電源スイッチ１８がオンされる（Ｓ１）ことにより、電源回路２０にスイッチオン信号が入力される。電源回路２０が起動することで制御回路１６に電圧が印加され制御回路１６が起動する。制御回路１６は圧力スイッチ１９からの出力を参照して、調圧制御が行われる（Ｓ２）。この調圧制御においては、前記の通り、水圧がＰ１以下となった場合にはモータ１５をオンし、水圧がＰ２以上となった場合にはモータ１５をオフする制御が行われる。  
【００４８】この調圧制御の際に、圧力スイッチ１９で検出された圧力がＰ１以下又はＰ２以上になるとモータ１５の制御が切り替わるため、Ｓ３においては圧力に基づいてモータ１５が回転しているか否かを判断する。モータ１５が回転している場合（Ｓ３）には、モータ１５が回転を開始した瞬間からの経過時間（Ｔｊ）が認識され、この時間Ｔｊが連続してＴ１以上となった場合（Ｓ４）には、このＴｊの期間は使用期間（使用中）であったと認識される（Ｓ５）。その後、引き続き調圧制御（Ｓ２）が行われる。  
【００４９】一方、この時間ＴｊがＴ１未満であった場合（Ｓ４）、又はモータ１５が回転していない場合（Ｓ３）には、使用期間でない（未使用）と認識される（Ｓ６）。この場合には、使用期間が経過してから時間Ｔ２が経過したか否かが判定される（Ｓ７）。この経過時間がＴ２以上となった場合（Ｓ７）には、長時間未使用であったと認識されるため、モータ１５がオフされた状態で、制御回路１６への給電も中止される（Ｓ８）。すなわち、制御回路１６（マイコン１６１）から電源回路２０にオートパワーオフ信号が出力されて電源回路２０が停止する。電源回路２０が停止すると制御回路１６（マイコン１６１）への給電が停止するためインバータ回路１６２も停止しモータ１５への給電が停止する。この状態は、主電源スイッチ１８がオフされた状態と等価である。このため、調圧制御（Ｓ２）は、主電源スイッチ１８が再度操作されない限り、行われない。  
【００５０】この経過時間がＴ２を超えない場合（Ｓ７）には、引き続き調圧制御（Ｓ２）が行われる。  
【００５１】上記の制御はトリガ１４２の操作とは無関係に行われる。モータ１５が回転しているか否か（Ｓ３）、及び水圧が連続してＰ１以下となった時間がＴ１を超えたか否か（Ｓ４）の情報によって、使用期間が推定される。  
【００５２】上記の動作においては、制御回路１６が制御の際に参照するのは、洗浄機本体１０に設けられた圧力スイッチ１９でのみである。このため、トリガ１４２を初めとするノズル１４側には、電気的なスイッチを設ける必要はなく、ノズル１４と洗浄機本体１０との間に電気配線を設ける必要はない。  
【００５３】なお、上記の構成においては、調圧制御は水圧がＰ１、Ｐ２の範囲で行われ、使用期間であるか否かの判定（Ｓ３）の基準となる設定圧力値として、調圧制御の下限値としても設定されたＰ１、上限値として設定されたＰ２が用いられた。しかしながら、調圧制御の下限又は上限の水圧と使用期間であるか否かの判定の基準に用いる設定圧力値とが等しい必要はない。例えば、モータ１５が回転しているか否か（Ｓ３）の代わりに、水圧がＰ２〜Ｐ３（Ｐ１＜Ｐ２＜Ｐ３＜Ｐ４）の範囲であるか否かの判定を用いることができる。こうした場合であっても、同様に使用期間を推定することができることは、図３の特性より明らかである。ただし、こうした場合には、調圧制御に用いる圧力スイッチ１９の他に、Ｐ３、Ｐ４が設定された専用の圧力スイッチが別途必要となるため、Ｐ１、Ｐ２を使用期間であるか否かの判定の基準に用いる上記の構成が最も好ましい。なお、所定の圧力値が設定されている圧力スイッチを用いず、圧力を検出する圧力センサを設け、マイコン１６１に設定圧力値を記憶させる構成とすれば、部品点数を増やすことなく上記の制御を実現することができる。  
【００５４】また、上記の構成においては、制御回路１６が調圧制御部かつオートパワーオフ制御部として機能していた。しかしながら、調圧制御部とオートパワーオフ制御部とを分離して設けることもできる。  
【００５５】また、上記の構成においては、洗浄機１の電源が電池１７（蓄電池）であるものとしたが、商用交流電源が電源として用いられる場合であっても、上記の動作によって低消費電力化がなされることは明らかであるため、上記の構成が有効であることは明らかである。  
【００５６】また、上記の構成においては、ノズルから水が噴出されるものとしたが、水以外の液体（洗浄液）が用いられる場合であっても、上記の構成が有効であることは明らかである。
【符号の説明】
【００５７】１…電動洗浄機（洗浄機）、１０…洗浄機本体、１１…タンク、１２…ポンプ、１３…ホース、１４…ノズル、１５…モータ、１６…制御回路（調圧制御部、オートパワーオフ制御部）、１７…電池、１８…主電源スイッチ、１９…圧力スイッチ、２０…電源回路、１４１…弁、１４２…トリガ、１６１…マイコン、１６２…インバータ回路
【図１】
2015166905.tif 000003
【図２】
2015166905.tif 000004
【図３】
2015166905.tif 000005
【図４】
2015166905.tif 000006
【国際調査報告】
2015166905.tif 000007
2015166905.tif 000008
2015166905.tif 000009
2015166905.tif 000010